(57)【要約】  ＭＣＷ−ＦＬＡＢ１を受信すること、補助フィールドと共にＳＳ  ＭＡＣプロトコルからアクセス端末のＭＡＣＩＤと共に受信されるＭＣＷ−ＦＬＡＢ１内の補助フィールドの値を求めること、ＭＣＷ−ＦＬＡＢ２が同じＰＨＹフレーム内でＭＡＣＩＤと共に受信されるか否かを判断すること、及びＭＣＷ−ＦＬＡＢ２が受信されるか否か及び補助フィールドの値に基づいて、ＭＣＷ−ＦＬＡＢ１を処理することを含む、マルチコードワード割り当てを処理する方法及び装置が提供される。
2009522829.tif 000002
【特許請求の範囲】
【請求項１】
無線通信システムにおいてマルチコードワード割り当てを処理する方法であって、
マルチコードワード順方向リンク割り当てブロック１（ＭＣＷ−ＦＬＡＢ１）を受信すること、
前記ＭＣＷ−ＦＬＡＢ１内の補助フィールドの値を求めることであって、前記ＭＣＷ−ＦＬＡＢ１は共有シグナリング媒体アクセス制御（ＳＳ  ＭＡＣ）プロトコルから受信され、前記ＭＣＷ−ＦＬＡＢ１内は補助フィールドと共にアクセス端末のＭＡＣＩＤを有する、求めること、
ＭＡＣＩＤを有するマルチコードワード順方向リンク割り当てブロック２（ＭＣＷ−ＦＬＡＢ２）が同じ物理レイヤ（ＰＨＹ）フレーム内で受信されているか否かを判断すること、並びに
前記ＭＣＷ−ＦＬＡＢ２が受信されているか否かと、前記補助フィールドの値とに基づいて、前記ＭＣＷ−ＦＬＡＢ１を処理すること、
を特徴とする、方法。
【請求項２】
前記処理することは、
同じＰＨＹチャネル内で前記アクセス端末のＭＡＣＩＤを有する前記ＭＣＷ−ＦＬＡＢ２が受信されず、且つ前記補助フィールドの値が「０」にセットされている場合、前記ＭＣＷ−ＦＬＡＢ１を無視すること
を含むことを特徴とする、請求項１に記載の方法。
【請求項３】
前記処理することは、
同じＰＨＹチャネル内で前記アクセス端末のＭＡＣＩＤを有する前記ＭＡＣ−ＦＬＡＢ２が受信され、且つ前記補助フィールドの値が「０」にセットされている場合、前記ＭＣＷ−ＦＬＡＢ１及び前記ＭＣＷ−ＦＬＡＢ２を使用すること
を含むことを特徴とする、請求項１に記載の方法。
【請求項４】
前記処理することは、
補助フィールドの値が「１」にセットされている場合、ＭＣＷ−ＦＬＡＢ２に従って、レイヤ２以上についてパケットフォーマットを更新すること
を含むことを特徴とする、請求項１に記載の方法。
【請求項５】
前記処理することは、
前記同じＰＨＹフレーム内で前記アクセス端末のＭＡＣＩＤを有する前記ＭＣＷ−ＦＬＡＢ２が受信されず、且つ、前記補助フィールドの値が「１」にセットされる場合、ＭＣＷＦＬＡＢタイプの既存の割り当てがあれば、レイヤ２以上について現在のパケットフォーマットを使用すること
を含むことを特徴とする、請求項１に記載の方法。
【請求項６】
記憶されている命令を含むコンピュータ可読媒体であって、
マルチコードワード順方向リンク割り当てブロック１（ＭＣＷ−ＦＬＡＢ１）を受信するための第１の命令セットと、
前記ＭＣＷ−ＦＬＡＢ１内の補助フィールドの値を求めるための第２の命令セットであって、前記ＭＣＷ−ＦＬＡＢ１は共有シグナリング媒体アクセス制御（ＳＳ  ＭＡＣ）プロトコルから受信され、前記ＭＣＷ−ＦＬＡＢ１内は補助フィールドと共にアクセス端末のＭＡＣＩＤを有する、第２の命令セットと、
ＭＡＣＩＤを有するマルチコードワード順方向リンク割り当てブロック２（ＭＣＷ−ＦＬＡＢ２）が同じ物理レイヤ（ＰＨＹ）フレーム内で受信されているか否かを判断するための第３の命令セットと、
前記ＭＣＷ−ＦＬＡＢ２が受信されているか否かと、前記補助フィールドの値とに基づいて、前記ＭＣＷ−ＦＬＡＢ１を処理するための第４の命令セットと、
を特徴とする、コンピュータ可読媒体。
【請求項７】
同じＰＨＹチャネル内で前記アクセス端末のＭＡＣＩＤを有するＭＣＷ−ＦＬＡＢ２が受信されず、且つ前記補助フィールドの値が「０」にセットされている場合、前記ＭＣＷ−ＦＬＡＢ１を無視するための第５の命令セットを特徴とする、請求項６に記載のコンピュータ可読媒体。
【請求項８】
同じＰＨＹチャネル内で前記アクセス端末のＭＡＣＩＤを有する前記ＭＡＣ−ＦＬＡＢ２が受信され、且つ、前記補助フィールドの値が「０」にセットされている場合、前記ＭＣＷ−ＦＬＡＢ１及び前記ＭＣＷ−ＦＬＡＢ２を使用するための第６の命令セットを特徴とする、請求項６に記載のコンピュータ可読媒体。
【請求項９】
補助フィールドの値が「１」にセットされている場合、ＭＣＷ−ＦＬＡＢ２に従ってレイヤ２以上についてパケットフォーマットを更新するための第７の命令セットを特徴とする、請求項６に記載のコンピュータ可読媒体。
【請求項１０】
同じＰＨＹフレーム内で前記アクセス端末のＭＡＣＩＤを有する前記ＭＣＷ−ＦＬＡＢ２が受信されず、且つ前記補助フィールドの値が「１」にセットされる場合、ＭＣＷＦＬＡＢタイプの既存の割り当てがあれば、レイヤ２以上について現在のパケットフォーマットを使用するための第８の命令セットを特徴とする、請求項６に記載のコンピュータ可読媒体。
【請求項１１】
無線通信システムにおいて動作可能な装置であって、
マルチコードワード順方向リンク割り当てブロック１（ＭＣＷ−ＦＬＡＢ１）を受信する手段と、
前記ＭＣＷ−ＦＬＡＢ１内の補助フィールドの値を求める手段であって、前記ＭＣＷ−ＦＬＡＢ１は共有シグナリング媒体アクセス制御（ＳＳ  ＭＡＣ）プロトコルから受信され、前記ＭＣＷ−ＦＬＡＢ１内は補助フィールドと共にアクセス端末のＭＡＣＩＤを有する、手段と、
前記ＭＡＣＩＤを有するマルチコードワード順方向リンク割り当てブロック２（ＭＣＷ−ＦＬＡＢ２）が同じ物理レイヤ（ＰＨＹ）フレーム内で受信されているか否かを判断する手段と、
前記ＭＣＷ−ＦＬＡＢ２が受信されているか否かと、前記補助フィールドの値とに基づいて、前記ＭＣＷ−ＦＬＡＢ１を処理する手段と、
を特徴とする、装置。
【請求項１２】
同じＰＨＹチャネル内の前記アクセス端末のＭＡＣＩＤを有するＭＣＷ−ＦＬＡＢ２が受信されず、且つ前記補助フィールドの値が「０」にセットされている場合、前記ＭＣＷ−ＦＬＡＢ１を無視する手段を有することを特徴とする、請求項１１に記載の装置。
【請求項１３】
同じＰＨＹチャネル内で前記アクセス端末のＭＡＣＩＤを有する前記ＭＡＣ−ＦＬＡＢ２が受信され、且つ前記補助フィールドの値が「０」にセットされている場合、前記ＭＣＷ−ＦＬＡＢ１及び前記ＭＣＷ−ＦＬＡＢ２を使用する手段を有することを特徴とする、請求項１１に記載の装置。
【請求項１４】
補助フィールドの値が「１」にセットされている場合、ＭＣＷ−ＦＬＡＢ２に従ってレイヤ２以上についてパケットフォーマットを更新する手段を有することを特徴とする、請求項１１に記載の装置。
【請求項１５】
前記同じＰＨＹフレーム内で前記アクセス端末のＭＡＣＩＤを有する前記ＭＣＷ−ＦＬＡＢ２が受信されず、且つ前記補助フィールドの値が「１」にセットされる場合、ＭＣＷＦＬＡＢタイプの既存の割り当てがあれば、レイヤ２以上について現在のパケットフォーマットを使用する手段を有することを特徴とする、請求項１１に記載の装置。
【発明の詳細な説明】
【技術分野】
【０００１】
米国特許法第１１９条に基づく優先権の主張
本特許出願は、２００５年１０月２７日に出願され、本願の譲受人に譲渡された「METHODS AND APPARATUS FOR PROVIDING MOBILE BROADBAND WIRELESS HIGHER MAC」と題する米国仮特許出願第６０／７３１０３７号明細書の優先権を主張し、これを明示的に参照により本明細書に援用する。
【０００２】
［背景］
・分野
本開示は、包括的には無線通信に関し、特に、アクセス端末によってマルチコードワード割り当てを処理する方法及び装置に関する。
【０００３】
・背景
無線通信システムは広く普及した手段になっており、無線通信システムによって世界中の大多数の人々が通信するようになっている。無線通信装置は、消費者のニーズを満たし、可搬性及び利便性を向上させるために、より小型且つより強力になっている。携帯電話のような移動装置の処理能力の増大は、無線ネットワーク伝送システムに対する需要の増大に繋がっている。通常、このようなシステムは、そのシステムを介して通信するセルラ装置ほど容易には更新されない。移動装置の能力が拡大するにつれて、無線装置の新規の能力及び改良された能力の十分な利用を促進するように旧式の無線ネットワークシステムを維持することが難しくなる可能性がある。
【０００４】
無線通信システムは、一般に、様々な手法を利用して、チャネルの形で伝送リソースを生成する。これらのシステムは、符号分割多重（ＣＤＭ）システム、周波数分割多重（ＦＤＭ）システム、及び時分割多重（ＴＤＭ）システムであり得る。ＦＤＭの一般的に利用される一変形は、システム帯域幅全体を複数の直交サブキャリアに効率的に分割する直交周波数分割多重（ＯＦＤＭ）である。これらのサブキャリアはトーン、ビン、あるいは周波数チャネルとも呼ばれ得る。各サブキャリアを変調してデータをのせることができる。時分割ベースの技法では、各サブキャリアは連続するタイムスライス又はタイムスロットの部分を含むことができる。各ユーザには、規定のバースト期間又はフレーム中に情報を送受信するために、タイムスロットとサブキャリアとの組み合わせを１つ又は複数提供することができる。ホッピング方式は、一般的にはシンボルレートホッピング方式またはブロックホッピング方式である。
【０００５】
符号分割ベースの技法は、通常、ある範囲内の任意の時間に利用可能ないくつかの周波数を介してデータを伝送する。一般に、データはデジタル化され、利用可能な帯域幅にわたって拡散し、複数のユーザをチャネルに重ね、各ユーザに一意のシーケンスコードを割り当てることができる。これらのユーザは、同一の広帯域スペクトルチャンクにおいて伝送することができ、各ユーザの信号は、それぞれ固有の拡散コードによって帯域幅全体にわたって拡散する。この技法は共有を規定することができ、これによって１人又は複数のユーザが同時に送受信を行うことができる。このような共有はスペクトル拡散デジタル変調を通じて実現することができ、ユーザのビットストリームは符号化され、擬似ランダム的に非常に広いチャネルにわたって拡散する。受信機は、関連する一意のシーケンスコードを認識し、ランダム化を取り消して、特定のユーザのビットをコヒーレントに収集するように設計される。
【０００６】
一般的な無線通信ネットワーク（例えば、周波数分割技法、時分割技法、及び／又は符号分割技法を利用するもの）は、カバレッジ領域を提供する１つ又は複数の基地局と、そのカバレッジ領域内でデータを送受信することができる１つ又は複数の移動端末（例えば無線端末）とを含む。一般的な基地局は、ブロードキャストサービス、マルチキャストサービス、及び／又はユニキャストサービスに向けて複数のデータストリームを同時に伝送することができ、データストリームは、移動端末が独立して受信することを意図するデータのストリームであることができる。その基地局のカバレッジ領域内の移動端末は、基地局から送信される１つのデータストリーム、１つ以上のデータストリーム、又はすべてのデータストリームの受信に関心を有することができる。同様に、移動端末は、データを基地局又は別の移動端末に送信することができる。これらのシステムでは、帯域幅及び他のシステムリソースが、スケジューラを利用して割り当てられる。
【０００７】
本明細書において開示する信号、信号フォーマット、信号交換、方法、プロセス、及び技法は、既知の手法よりも優れたいくつかの利点を提供する。これらには、例えば、シグナリングオーバーヘッドの低減、システムスループットの向上、シグナリング柔軟性の増大、情報処理の低減、伝送帯域幅の低減、ビット処理の低減、ロバスト性の増大、効率の向上、及び伝送パワーの低減が含まれる。
【０００８】
［概要］
以下に、１つ又は複数の実施形態の簡略化した概要を提示して、このような実施形態の基本的な理解を提供する。この概要は、意図されるすべての実施形態の広範囲に渡る全体像ではない。また、この概要は、すべての実施形態のキーとなる要素又は重要な要素を特定することを意図するものでもなければ、いずれかの又はすべての実施形態の範囲の限定を意図するものでもない。その唯一の目的は、１つ又は複数の実施形態のいくつかの概念を簡略化した形で、後述するより詳細な説明への前置きとして提示することである。
【０００９】
一実施の形態によれば、マルチコードワード割り当てを処理する方法であって、ＭＣＷ−ＦＬＡＢ１を受信すること、ＭＣＷ−ＦＬＡＢ１内の補助フィールドの値を求めることであって、ＭＣＷ−ＦＬＡＢ１は共有シグナリング媒体アクセス制御（ＳＳ  ＭＡＣ）プロトコルから受信され、ＭＣＷ−ＦＬＡＢ１内は補助フィールドと共にアクセス端末のＭＡＣＩＤを有する、求めること、ＭＡＣＩＤを有するＭＣＷ−ＦＬＡＢ２が同じＰＨＹフレーム内で受信されているか否かを判断すること、並びに、ＭＣＷ−ＦＬＡＢ２が受信されているか否かと、補助フィールドの値とに基づいてＭＣＷ−ＦＬＡＢ１を処理することを含む、方法が提供される。
【００１０】
別の実施の形態によれば、コンピュータ可読媒体であって、ＭＣＷ−ＦＬＡＢ１を受信するための第１の命令セットと、ＭＣＷ−ＦＬＡＢ１内の補助フィールドの値を求めるための第２の命令セットであって、ＭＣＷ−ＦＬＡＢ１は共有シグナリング媒体アクセス制御（ＳＳ  ＭＡＣ）プロトコルから受信され、ＭＣＷ−ＦＬＡＢ１内は補助フィールドと共にアクセス端末のＭＡＣＩＤを有する、第２の命令セットと、ＭＡＣＩＤを有するＭＣＷ−ＦＬＡＢ２が同じＰＨＹフレーム内で受信されているか否かを判断するための第３の命令セットと、ＭＣＷ−ＦＬＡＢ２が受信されているか否かと、補助フィールドの値とに基づいてＭＣＷ−ＦＬＡＢ１を処理する第４の命令セットとを有する、コンピュータ可読媒体が説明される。
【００１１】
さらに別の実施の形態によれば、無線通信システムにおいて動作可能な装置であって、ＭＣＷ−ＦＬＡＢ１を受信する手段と、ＭＣＷ−ＦＬＡＢ１内の補助フィールドの値を求める手段であって、ＭＣＷ−ＦＬＡＢ１は共有シグナリング媒体アクセス制御（ＳＳ  ＭＡＣ）プロトコルから受信され、ＭＣＷ−ＦＬＡＢ１内は補助フィールドと共にアクセス端末のＭＡＣＩＤを有する、手段と、ＭＡＣＩＤを有するＭＣＷ−ＦＬＡＢ２が同じＰＨＹフレーム内で受信されているか否かを判断する手段と、ＭＣＷ−ＦＬＡＢ２が受信されるか否かと、補助フィールドの値とに基づいてＭＣＷ−ＦＬＡＢ１を処理する手段とを含む、装置が説明される。
【００１２】
上記の目的及び関連する目的の実現のために、本願の１つ又は複数の実施形態は、以下において完全に説明され、とくに特許請求の範囲において指摘される特徴を含む。以下の説明及び添付の図面は、本願の１つ又は複数の実施形態のうちの例示的な実施形態を詳細に説明する。しかし、これらの実施形態は、さまざまな実施形態の原理を利用することができる各種方法のうちの少数を示すにすぎず、説明する実施形態は、このような実施形態及びそれらの均等物をすべて包含することを意図する。
【００１３】
［詳細な説明］
これより、図面を参照してさまざまな実施形態を説明する。図面において、同様の参照符号は全体を通じて同様の要素を指すために使用される。以下の記載では、１つ又は複数の実施形態の完全な理解を提供するために、説明を目的として、多くの特定の詳細が述べられる。しかしながら、このような特定の詳細なしでこのような実施形態（複数可）を実施することができることは明らかである。他の場合では、周知である構造及び装置は、１つ又は複数の実施形態の説明を容易にするためにブロック図の形で示される。
【００１４】
図１を参照すると、一実施形態による多重接続無線通信システムが示されている。多重接続無線通信システム１００は複数のセルを含み、例えばセル１０２、１０４、及び１０６を含む。図１の実施形態では、各セル１０２、１０４、及び１０６は、複数のセクタを含むアクセスポイント１５０を含むことができる。複数のセクタは複数のアンテナ群によって形成される。アンテナ群のそれぞれは、セルの一部分においてアクセス端末との通信を担う。セル１０２では、アンテナ群１１２、１１４、及び１１６はそれぞれ異なるセクタに対応する。セル１０４では、アンテナ群１１８、１２０、及び１２２はそれぞれ異なるセクタに対応する。セル１０６では、アンテナ群１２４、１２６、及び１２８はそれぞれ異なるセクタに対応する。
【００１５】
各セルは、各アクセスポイントの１つ又は複数のセクタと通信するいくつかのアクセス端末を含む。例えば、アクセス端末１３０及び１３２は基地１４２と通信し、アクセス端末１３４及び１３６はアクセスポイント１４４と通信し、アクセス端末１３８及び１４０はアクセスポイント１４６と通信する。
【００１６】
コントローラ１３０はセル１０２、１０４、及び１０６のそれぞれに結合される。コントローラ１３０は、複数のネットワークへの１つまたは複数の接続を含むことができる。この複数のネットワークは、例えばインターネット、他のパケットベースのネットワーク、又は回線交換音声ネットワークであり、多重接続無線通信システム１００のセルと通信するアクセス端末に情報を提供すると共に、アクセス端末から情報が提供されるものである。コントローラ１３０は、アクセス端末からの送信及びアクセス端末への送信をスケジュールするスケジューラを含むか、又はこのようなスケジューラに結合される。他の実施形態では、スケジューラは、個々のセル内にあってもよく、セルの各セクタ内にあってもよく、又はこれらの組み合わせであってもよい。
【００１７】
本明細書において使用される場合、アクセスポイントは、端末との通信に使用される固定局とすることができる。アクセスポイントは、基地局、ノードＢ、又は他の何らかの用語で呼ばれる場合があり、またこれらの機能のうちのいくつか又はすべてを含んでもよい。アクセス端末は、ユーザ機器（ＵＥ）、無線通信装置、端末、移動局、又は他の何らかの用語で呼ばれる場合があり、またこれらの機能のいくつか又はすべてを含んでもよい。
【００１８】
図１は物理的なセクタ、すなわち、異なるセクタについて異なるアンテナ群を有するセクタを示すが、他の手法を利用してもよいことに留意されたい。例えば、周波数空間においてセルの異なる領域をそれぞれカバーする複数の固定「ビーム」を利用することを、物理的なセクタに代えて、又はこれと組み合わせて利用してもよい。このような手法は、「Adaptive Sectorization in Cellular System」と題する同時係属中の米国特許出願第１１／２６０８９５号明細書に図示され開示されている。
【００１９】
図２を参照すると、ＭＩＭＯシステム２００内の送信機システム２１０及び受信機システム２５０の一実施形態のブロック図が示されている。送信機システム２１０において、データソース２１２から送信（ＴＸ）データプロセッサ２１４へ、多数のデータストリームに対するトラフィックデータが提供される。一実施形態では、各データストリームは、それぞれの送信アンテナを経由して送信される。ＴＸデータプロセッサ２１４は、各データストリームに対して選択された特定の符号化スキームに基づいて、データストリームに対するトラフィックデータをフォーマットし、符号化し、インターリーブして、符号化されたデータを提供する。
【００２０】
各データストリームに対して符号化されたデータは、ＯＦＤＭ又は他の直交化技法若しくは非直交化技法を使用して、パイロットデータと多重化することができる。パイロットデータは通常、既知の方法で処理される既知のデータパターンであり、チャネル応答を推定するために受信機システムにおいて使用することができる。各データストリームに対して多重化されたパイロットデータ及び符号化されたデータは、その後、そのデータストリームに対して選択された１つ又は複数の特定の変調スキーム（例えば、ＢＰＳＫ，ＱＳＰＫ，Ｍ−ＰＳＫ，又はＭ−ＱＡＭ）に基づいて変調されて（すなわち、シンボルマッピングされて）、変調シンボルを提供する。各データストリームに対するデータレート、符号化、及び変調は、プロセッサ２３０によって提供され実施される命令によってすることができる。
【００２１】
その後、全てのデータストリームに対する変調シンボルが、ＴＸプロセッサ２２０に提供される。ＴＸプロセッサ２２０は、（例えば、ＯＦＤＭに対して）変調シンボルをさらに処理することができる。ＴＸプロセッサ２２０は、その後、ＮT個の変調シンボルストリームをＮT個の送信機（ＴＭＴＲ）２２２ａ〜２２２ｔに提供する。各送信機２２２は、それぞれ１つのシンボルストリームを受信し、処理して、1つ又は複数のアナログ信号を提供し、アナログ信号をさらに調整して（例えば、増幅、フィルタリング、及びアップコンバート）、ＭＩＭＯチャネル経由の送信に適した変調信号を提供する。送信機２２２ａ〜２２２ｔからのＮT個の変調信号は、その後、それぞれＮT個のアンテナ２２４ａ〜２２４ｔから送信される。
【００２２】
受信機システム２５０において、送信された変調信号は、ＮR個のアンテナ２５２ａ〜２５２ｒによって受信され、各アンテナ２５２から受信された信号は、それぞれの受信機（ＲＣＶＲ）２５４に提供される。各受信機２５４は、それぞれの受信された信号を調整し（例えば、フィルタリング、増幅、及びダウンコンバート）、調整された信号をデジタル化してサンプルを提供し、サンプルをさらに処理して、対応する「受信された」シンボルストリームを提供する。
【００２３】
ＲＸデータプロセッサ２６０は、その後、特定の受信機処理技術に基づいてＮR個の受信機２５４からのＮR個の受信されたシンボルストリームを受信し、処理して、ＮT個の「検出された」シンボルストリームを提供する。ＲＸデータプロセッサ２６０による処理は、以下にさらに詳細に述べられる。検出されたシンボルストリームのそれぞれは、対応するデータストリームに対して送信された変調シンボルの推定値であるシンボルを含む。ＲＸデータプロセッサ２６０は、その後、検出されたシンボルストリームのそれぞれを復調し、デインターリーブし、復号して、そのデータストリームに対するトラフィックデータを回復する。ＲＸデータプロセッサ２１８による処理は、送信機システム２１０においてＴＸプロセッサ２２０及びＴＸデータプロセッサ２１４によって実施されたものに対して補完的である。
【００２４】
ＲＸデータプロセッサ２６０は、同時に復調することができるサブキャリア数が、例えば５１２個のサブキャリア又は５ＭＨｚに制限される場合があり、このような受信機は単一のキャリア上でスケジュールされるべきである。この制限は、ＦＦＴ範囲(FFT range)の関数であり得る。ＦＦＴ範囲は、例えば、プロセッサ２６０が動作することができるサンプルレート、ＦＦＴに利用可能なメモリ、又は復調に利用可能な他の機能の関数であり得る。さらに、利用されるサブキャリアの数が多いほど、アクセス端末の費用は大きくなる。
【００２５】
ＲＸプロセッサ２６０によって生成されるチャネル応答推定値を、受信機における空間処理、空間／時間処理の実施、電力レベルの調整、変調レート若しくは変調スキームの変更、又は他の動作のために使用することができる。ＲＸプロセッサ２６０は、検出されたシンボルストリームの信号対雑音・干渉比（ＳＮＲ）、及び場合によっては他のチャネル特性をさらに推定することができ、これらの量をプロセッサ２７０に提供することができる。ＲＸデータプロセッサ２６０又はプロセッサ２７０は、システムに対する「オペレーティング」ＳＮＲの推定値をさらに導出することができる。プロセッサ２７０は、その後、チャネル状態情報（ＣＳＩ）を提供する。チャネル状態情報は、通信リンク及び／又は受信されたデータストリームに関する様々なタイプの情報を含むことができる。例えば、ＣＳＩは、オペレーティングＳＮＲのみを含む場合がある。他の実施形態では、ＣＳＩは、チャネル品質指標（ＣＱＩ）を含んでもよく、これは、１つ又は複数のチャネル状況を示す数値とすることができる。ＣＳＩは、その後、ＴＸデータプロセッサ２７８によって処理され、変調器２８０によって変調され、送信機２５４ａ〜２５４ｒによって調整され、そして、送信機システム２１０へ返信される。
【００２６】
送信機システム２１０において、受信機システム２５０からの変調信号は、アンテナ２２４によって受信され、受信機２２２によって調整され、復調器２４０によって復調され、そしてＲＸデータプロセッサ２４２によって処理されて、受信機システムによって報告されたＣＳＩを回復する。報告されたＣＳＩは、その後、プロセッサ２３０に提供され、そして、（１）データストリームに対して使用されるべきデータレート、符号化スキーム、及び変調スキームを決定するために、及び、（２）ＴＸデータプロセッサ２１４及びＴＸプロセッサ２２０に対する様々な制御を生成するために使用される。代替的に、プロセッサ２７０は、ＣＳＩを利用して、送信用の変調スキーム及び／又は符号化レートを他の情報と共に決定することができる。次に、これを送信機に提供することができ、送信機は、受信機への後の送信を提供するために、この情報（量子化されてもよい）を使用する。
【００２７】
プロセッサ２３０及び２７０は、それぞれ送信機システム及び受信機システムにおけるオペレーションを指示する。メモリ２３２及び２７２は、それぞれプロセッサ２３０及び２７０によって使用されるプログラムコード及びデータに対するストレージを提供する。
【００２８】
受信機において、様々な処理技法を使用してＮR個の受信された信号を処理し、ＮT個の送信されたシンボルストリームを検出することができる。これらの受信機処理技法は、２つの主なカテゴリー、すなわち（ｉ）空間的及び空間−時間受信機処理技法（これは、イコライゼーション技法(equalization techniques)とも呼ばれる）、及び（ｉｉ）「連続的なヌリング／イコライゼーション及び干渉除去(successive nulling/equalization and interference cancellation)」受信機処理技法（これは、「連続的な干渉除去」又は「連続的な除去」受信機処理技法とも呼ばれる）にグループ化される場合がある。
【００２９】
図２はＭＩＭＯシステムを説明するが、同じシステムを、複数の送信アンテナ（例えば基地局の複数の送信アンテナ）が単一のアンテナ装置（例えば移動局）に１つ又は複数のシンボルストリームを送信する、多入力単出力システムに適用することも可能である。また、単出力単入力アンテナシステムを、図２に関連して説明した様式と同じ様式で利用することが可能である。
【００３０】
本明細書で説明される送信技法は、様々な手段によって実施することができる。例えば、これらの技法は、ハードウェア、ファームウェア、ソフトウェア、又はこれらの組み合わせで実施することができる。ハードウェア実施に関して、送信機における処理ユニットは、１つ又は複数の、特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子機器、本明細書で説明した機能を実行するために設計された他の電子ユニット、又はこれらの組み合わせ内に実装することができる。受信機における処理ユニットもまた、１つ又は複数のＡＳＩＣ、ＤＳＰ、プロセッサ等の中に実装することができる。
【００３１】
ソフトウェア実施に関して、送信技法は、本明細書で説明された機能を実施するモジュール（例えば、プロシージャ、関数等）を使用して実施することができる。ソフトウェアコードは、メモリ（例えば、図２のメモリ２３０、２７２ｘ又は２７０ｙ）内に記憶することができ、プロセッサ（例えば、プロセッサ２３２、２７０ｘ又は２７０ｙ）によって実行することができる。メモリは、プロセッサ内に、若しくはプロセッサの外部に実装することができる。
【００３２】
本明細書において、チャネルの概念は、アクセスポイント又はアクセス端末によって送信することができる情報又は伝送タイプを指すことに留意されたい。サブキャリア、時間期間、又はこのような伝送専用の他のリソースの、固定の又はあらかじめ定められたブロックは、必要ではないし利用もされない。
【００３３】
図３Ａ及び図３Ｂを参照すると、多重接続無線通信システムのスーパーフレーム構造の実施形態が示されている。図３Ａは、周波数分割複信（ＦＤＤ）多重接続無線通信システムのスーパーフレーム構造の実施形態を示し、図３Ｂは、時分割複信（ＴＤＤ）多重接続無線通信システムのスーパーフレーム構造の実施形態を示す。スーパーフレームプリアンブルは、各キャリアで別個に送信してもよく、又はそのセクタのすべてのキャリアに跨ってもよい。
【００３４】
図３Ａ及び図３Ｂの両方において、順方向リンク送信はスーパーフレーム単位に分けられる。スーパーフレームは、スーパーフレームプリアンブルと、その後に続く複数の連続するフレームとからなってもよい。ＦＤＤシステムでは、逆方向リンクの伝送と順方向リンクの伝送とが異なる周波数帯域幅を占めることができるため、リンク上の伝送はいかなる周波数サブキャリア上でもオーバラップしないか、又は大部分でオーバラップしない。ＴＤＤシステムでは、Ｎ個の順方向リンクフレーム及びＭ個の逆方向リンクフレームが、逆のタイプのフレームの伝送が可能になる前にいくつの連続する順方向リンクフレーム及び逆方向リンクフレームを継続して送信することができるかを規定する。Ｎ及びＭの数は、１つのスーパーフレーム内で、又はスーパーフレーム間で異なり得ることに留意されたい。
【００３５】
ＦＤＤ及びＴＤＤの両システムにおいて、各スーパーフレームはスーパーフレームプリアンブルを含み得る。特定の実施形態では、スーパーフレームプリアンブルは、アクセス端末がチャネル推定に使用することができるパイロットを含むパイロットチャネルと、アクセス端末が順方向リンクフレームに含まれている情報を復調するために利用することができる構成情報を含むブロードキャストチャネルとを含む。タイミングや、アクセス端末がキャリアの１つで通信するのに十分な他の情報を、スーパーフレームプリアンブルに含めることができ、また、基本電力制御やオフセット情報等もスーパーフレームプリアンブルに含めることができる。他の場合では、上記及び／又は他の情報のいくつかのみがこのスーパーフレームプリアンプルに含められてもよい。
【００３６】
図３Ａ及び図３Ｂに示すように、スーパーフレームプリアンブルの後にはフレームシーケンスが続く。各フレームは、同じ数又は異なる数のＯＦＤＭシンボルから成ってもよく、この数が、或る規定の期間にわたる送信に同時に利用できるサブキャリアの数となってもよい。さらに、各フレームは、ある順方向リンク又は逆方向リンク上で１ユーザに対して１つ又は複数の連続しないＯＦＤＭシンボルが割り当てられるシンボルレートホッピングモードに従って、又は、１つのＯＦＤＭシンボルブロック内で複数のユーザがホッピングするブロックホッピングモードに従って、動作することができる。実際のブロック又はＯＦＤＭシンボルは、フレーム間でホッピングしてもしなくてもよい。
【００３７】
図４は、アクセス端末４０２とアクセスネットワーク４０４との間の通信を示す。アクセスネットワーク４０４は、ＭＣＷ−ＦＬＡＢ１割り当てブロック４０８を補助フィールドのセットと共にアクセス端末４０２に送信する。通信リンク４０６を使用し、所定のタイミング、システム条件、又は他の判断基準に基づいて、アクセスネットワーク４０４はブロック４０８をアクセス端末４０２に送信する。通信リンクは、通信プロトコル／規格を使用して実装することができ、たとえばＷｉＭＡＸ（World Interoperability for Microwave Access）、ＩｒＤＡ（Infrared Data Association）等の赤外線プロトコル、短距離無線プロトコル／テクノロジ、ブルートゥース（登録商標）技術、ジグビー(ZigBee)（登録商標）プロトコル、超広帯域（ＵＷＢ）プロトコル、ＨｏｍｅＲＦ（home radio frequency）、共有無線アクセスプロトコル（ＳＷＡＰ）、ＷＥＣＡ（wireless Ethernet（登録商標） compatibility alliance）等の広帯域技術、Ｗｉ−Ｆｉアライアンス（wireless fidelity alliance）、８０２．１１ネットワーク技術、公衆交換電話網技術、インターネット等の公衆異種通信ネットワーク技術、私設無線通信ネットワーク、陸上移動無線ネットワーク、符号分割多重接続（ＣＤＭＡ）、広帯域符号分割多重接続（ＷＣＤＭＡ）、汎用移動通信システム（ＵＭＴＳ）、高度移動電話サービス（ＡＭＰＳ）、時分割多重接続（ＴＤＭＡ）、周波数分割多重接続（ＦＤＭＡ）、直交周波数分割多重（ＯＦＤＭ）、直交周波数分割多重接続（ＯＦＤＭＡ）、直交周波数分割多重接続ＦＬＡＳＨ（ＯＦＤＭＡーＦＬＡＳＨ）、ＧＳＭ（global system for mobile communications)、シングルキャリア（１Ｘ）無線伝送技術（ＲＴＴ）、ＥＶ−ＤＯ（evolution data only）技術、汎用パケット無線サービス（ＧＰＲＳ）、ＥＤＧＥ（enhanced data GSM environment）、高速ダウンリンクデータパケットアクセス（ＨＳＰＤＡ）、アナログ衛星システム及びデジタル衛星システム、並びに他の任意の技術／プロトコル（無線通信ネットワーク及びデータ通信ネットワークのうちの少なくとも一方で使用することができるもの）等を使用して実装することができる。
【００３８】
アクセスネットワーク４０４は、ブロック４０８をアクセス端末４０２に送信するように構成される。アクセスネットワーク４０４は、メッセージ４０８を、順方向リンク４０６上で送信される１つ又は複数のデータパケット４１２に組み込むことができる。別の態様では、メッセージ４０８は、パケットに組み込むことなく送信してもよい。データパケットは、データパケット４１２がＭＣＷ−ＦＬＡＢ１ブロック４０８を含むか否かを示すヘッダ情報を含む。データパケット４１２は、１つ又は複数のチャネルを使用して順方向リンク４０６上で交換される。アクセスネットワーク４０４は、ＭＣＷ−ＦＬＡＢ１ブロックと共にＭＣＷ−ＦＬＡＢ２ブロックもアクセス端末に送信することができる。アクセス端末４０２は、通信リンク４０６上でデータパケット４１２を受信するように構成され、そのうちの１つはＭＣＷ−ＦＬＡＢ１ブロック４０８を含み得る。
【００３９】
アクセス端末４０２において順方向リンクからメッセージ４０８を抽出するために、様々な方法を使用することができる。例えば、アクセス端末４０２は、データパケット４１２を順方向リンクのチャネルの１つから抽出すると、データパケット４１２のヘッダ情報を調べて、データパケット４１２がＭＣＷ−ＦＬＡＢ１ブロック４０８を含むか否かを判断することができる。含む場合、アクセス端末４０２は、指定のビットをブロック４０８から抽出し、その値をメモリ（図２のメモリ２３２等）に記憶する。アクセス端末４０２は、必ずしも必要なわけではないが、通信リンク４０６を介してＡＣＫメッセージ又はＮＡＣＫメッセージ４１０で応答して、補助フィールドの値と、ＭＣＷ−ＦＬＡＢ２も受信されているか否かとに基づいて、ＭＣＷ−ＦＬＡＢ１ブロックの処理に進み得る。アクセス端末４０２が、ＳＳ  ＭＡＣプロトコルから補助フィールドが「０」にセットされたＭＡＣＩＤを有するＭＣＷ−ＦＬＡＢ１を受信する場合、同じＰＨＹフレーム内で受信されるＭＡＣＩＤを有するＭＣＷ−ＦＬＡＢ２が存在する可能性がある。そうでなければ、その他の場合、アクセス端末４０２はＭＣＷ−ＦＬＡＢ１メッセージを無視し得る。アクセス端末４０２が、ＳＳ  ＭＡＣプロトコルから補助フィールドが「１」にセットされたＭＡＣＩＤを有するＭＣＷ−ＦＬＡＢ１を受信するとき、ＭＡＣＩＤを有するＭＣＷ−ＦＬＡＢ２が同じＰＨＹフレームで受信されない場合、アクセス端末は、レイヤ２以上について現在のパケットフォーマットを使用し得る（タイプＭＣＷＦＬＡＢの既存のＡＴＡがある場合）。その他のとき、ＭＡＣＩＤを有するＭＣＷ−ＦＬＡＢ２が同じＰＨＹフレーム内で受信される場合、アクセス端末は、ＭＣＷＦＬＡＢ２に従ってレイヤ２以上についてパケットフォーマットを更新し得る。
【００４０】
図５Ａは、一実施の形態によるプロセス５００の流れ図を示す。５０２において、ＭＣＷ−ＦＬＡＢ１をアクセス端末において受信する。５０４において、アクセス端末で受信された、ＳＳ  ＭＡＣプロトコルからのＭＡＣＩＤを有する、ＭＣＷ−ＦＬＡＢ１内の補助フィールドの値が求められる。５０６において、ＭＡＣＩＤを有するＭＣＷ−ＦＬＡＢ２が同じＰＨＹフレーム内で受信されているか否かが判断される。５０８において、アクセス端末のＭＡＣＩＤを有するＭＣＷ−ＦＬＡＢ２が同じＰＨＹフレーム内で受信されているか否かに基づいて、かつ、補助フィールドの値に基づいて、ＭＣＷ−ＦＬＡＢ１が処理される。
【００４１】
図５Ｂは、ＭＣＷ−ＦＬＡＢ１ブロックを処理するプロセッサ５５０を示す。参照されるプロセッサは電子装置であってもよく、実施形態に従ってＭＣＷ−ＦＬＡＢ１を処理するように構成される１つ又は複数のプロセッサを含み得る。プロセッサ５５２は、ＭＣＷ−ＦＬＡＢ１をアクセス端末で受信するように構成される。プロセッサ５５４は、アクセス端末で受信される、ＳＳ  ＭＡＣプロトコルからのＭＡＣＩＤを有するＭＣＷ−ＦＬＡＢ１内の補助フィールドの値を求めるように構成される。さらに、プロセッサ５５６は、ＭＡＣＩＤを有するＭＣＷ−ＦＬＡＢ２が同じＰＨＹフレーム内で受信されるか否かを判断するように構成され、プロセッサ５５８は、アクセス端末のＭＡＣＩＤを有するＭＣＷ−ＦＬＡＢ２が同じＰＨＹフレーム内で受信されるか否かに基づいて、かつ、補助フィールドの値に基づいて、ＭＣＷ−ＦＬＡＢ１を処理するように構成される。図に示される離散プロセッサ５５２〜５５８の機能は、単一のプロセッサ５６０に組み合わせてもよい。メモリ５６２もプロセッサ５６０に結合される。
【００４２】
一実施形態では、ＭＣＷ−ＦＬＡＢ１をアクセス端末で受信する手段を備える装置が説明される。アクセス端末で受信された、ＳＳ  ＭＡＣプロトコルからのＭＡＣＩＤを有するＭＣＷ−ＦＬＡＢ１内の補助フィールドの値を求める手段が設けられる。さらに、同じＰＨＹフレーム内でＭＡＣＩＤを有するＭＣＷ−ＦＬＡＢ２が受信されるか否かを判断する手段が設けられ、アクセス端末のＭＡＣＩＤを有するＭＣＷ−ＦＬＡＢ２が同じＰＨＹフレーム内で受信されるか否かに基づいて、かつ、補助フィールドの値に基づいて、ＭＣＷ−ＦＬＡＢ１を処理する手段が設けられる。本明細書において述べた手段は１つ又は複数のプロセッサを含み得る。
【００４３】
さらに、実施形態は、ハードウェア、ソフトウェア、ファームウェア、ミドルウェア、マイクロコード、又はこれらの任意の組み合わせで実施することができる。ソフトウェア、ファームウェア、ミドルウェア、又はマイクロコードに実装される場合、必要なタスクを実行するプログラムコード又はコードセグメントは、図示していない別個のストレージ（複数可）等の機械可読媒体に記憶してもよい。必要なタスクはプロセッサが実行することができる。コードセグメントは、プロシージャ、関数、サブプログラム、プログラム、ルーチン、サブルーチン、モジュール、ソフトウェアパッケージ、又はクラスを表してもよく、命令、データ構造、又はプログラムステートメントの任意の組み合わせを表してもよい。コードセグメントは、情報、データ、引数、パラメータ、又はメモリ内容を渡し、且つ／又は受け取ることによって、別のコードセグメント又はハードウェア回路に結合することができる。情報、引数、パラメータ、データ等は、メモリ共有、メッセージ受け渡し、トークンパッシング、ネットワーク伝送等を含む任意の適した手段を介して受け渡し、転送し、又は伝送することができる。
【００４４】
当業者には、これらの実施形態に対する様々な変更が容易に明白となる。また、本明細書で規定された一般的な原理は他の実施形態にも適用することができる。それゆえ、本明細書は、本明細書に示された実施形態に限定されることを意図したものではなく、本明細書に開示された原理及び新規な特徴と整合する最も広い範囲に適用されるものである。
【図面の簡単な説明】
【００４５】
【図１】多重接続無線通信システムの実施形態を示す図である。
【図２】多重続無線通信システム内の送信機及び受信機の実施形態を示す図である。
【図３Ａ】多重接続無線通信システムのスーパーフレーム構造の実施形態を示す図である。
【図３Ｂ】多重接続無線通信システムのスーパーフレーム構造の実施形態を示す図である。
【図４】アクセス端末とアクセスネットワークとの間の通信の態様を示す図である。
【図５Ａ】アクセス端末によるプロセスの流れ図である。
【図５Ｂ】マルチコードワード割り当てを処理するように構成される１つ又は複数のプロセッサを示す図である。
【図１】
2009522829.tif 000003
【図２】
2009522829.tif 000004
【図３Ａ】
2009522829.tif 000005
【図３Ｂ】
2009522829.tif 000006
【図４】
2009522829.tif 000007
【図５Ａ】
2009522829.tif 000008
【図５Ｂ】
2009522829.tif 000009
【国際調査報告】
2009522829.tif 000010
2009522829.tif 000011